(57)【特許請求の範囲】
【請求項１】
複数のウェブサイトにインターネットを介して接続可能であり、前記ウェブサイトから所望の情報を取得する情報取得サーバーであって、
複数の前記ウェブサイトを網羅的に調査し、予め選定した分野に適合したウェブサイトを情報サイトとして抽出する手段と、
抽出した前記情報サイトについて、各情報サイトのサイト構造を解析する手段と、
前記抽出した各情報サイトを巡回し、前記解析した構造に基づいて前記情報サイトに記述された情報であって、新規に記述されているもの、及び前回の巡回時の記録と比較して異なる内容のものを取得する手段と、
前記各情報サイトから取得した前記情報をデータベースに格納する手段と、
指定に基づいて前記データベースに格納された情報を取得する手段と、
を備えることを特徴とする情報取得サーバー。
【請求項２】
少なくとも一つのユーザー端末に接続されており、
前記ユーザー端末からの要求に応えて前記データベースに格納された前記情報を前記ユーザー端末に配信する手段を備え、
前記ユーザー端末から指定されたキーワードに基づいて前記データベースを検索して、取得した情報を前記ユーザー端末に配信することを特徴とする請求項１に記載の情報取得サーバー。
【請求項３】
少なくとも一つのユーザー端末に接続されており、
前記ユーザー端末からの要求に応えて前記データベースに格納された前記情報を前記ユーザー端末に配信する手段を備え、
前記ユーザー端末から予め設定した所定のキーワードを含む情報が前記データベースに格納されたとき、前記キーワードに関連する情報を取得したこと及び前記キーワードに関連する情報の少なくとも一つを前記ユーザー端末に配信することを特徴とする請求項１に記載の情報取得サーバー。
【請求項４】
取得した前記情報の広告的価値を評価する手段を備え、
配信する前記情報と共に前記広告的価値を前記ユーザー端末に配信することを特徴とする請求項２から請求項３のいずれか一項に記載の情報取得サーバー。
【請求項５】
前記広告的価値は、前記情報が表示される前記情報サイト上のページにおける広告料金に基づいて定めることを特徴とする請求項４に記載の情報取得サーバー。
【請求項６】
前記情報が表示される前記情報サイト上のページにおける広告料金が特定できない場合、前記広告的価値は前記広告料金に相当する金額を数学的な手法によって他の広告料金が設定されているサイトとの比較で推定した金額に基づいて定めることを特徴とする請求項４に記載の情報取得サーバー。
【請求項７】
前記取得した情報についての好感度についての評価を行う手段を備え、
前記配信する情報と共に前記好感度を前記ユーザー端末に配信することを特徴とする請求項２から請求項６のいずれか一項に記載の情報取得サーバー。
【請求項８】
前記好感度は、過去に蓄積されたビッグデータ及びナリッジマネジメントに基づいて評価することを特徴とする請求項７に記載の情報取得サーバー。
【請求項９】
取得した情報を引用している引用サイトについての情報及び前記引用サイトの数の少なくとも一方についての情報を取得する手段を備え、
配信する情報と共に前記引用サイトについての情報及び前記引用サイトの数の少なくとも一方を配信することを特徴とする請求項２から請求項８のいずれか一項に記載の情報取得サーバー。
【請求項１０】
前記ユーザー端末から期間を指定して情報を取得することを特徴とする請求項１から請求項９のいずれか一項に記載の情報取得サーバー。
【請求項１１】
前記特定の分野がニュースであることを特徴とする請求項１から請求項９のいずれか一項に記載の情報取得サーバー。
【請求項１２】
複数のウェブサイトにインターネットを介して接続可能であり、前記ウェブサイトから所望の情報を取得する情報取得方法であって、
複数の前記ウェブサイトを網羅的に調査し、予め選定した分野に適合したウェブサイトを情報サイトとして抽出する工程と、
抽出した前記情報サイトについて、各情報サイトのサイト構造を解析する工程と、
前記抽出した各情報サイトを巡回し、前記解析した構造に基づいて前記情報サイトに記述された情報であって、新規に記述されているもの、及び前回の巡回時の記録と比較して異なる内容のものを取得する工程と、
前記各情報サイトから取得した前記情報をデータベースに格納する工程と、
指定に基づいて前記データベースに格納された情報を取得する工程と、
を備えることを特徴とする情報取得方法。
【請求項１３】
複数のウェブサイト及び少なくとも一つのユーザー端末にインターネットを介して接続された情報取得サーバーを備え、前記情報取得サーバーから取得した情報のうち前記ユーザー端末が要求する情報を配信する情報取得配信システムにおいて、
複数の前記ウェブサイトを網羅的に調査し、予め選定した分野に適合したウェブサイトを情報サイトとして抽出する手段と、
抽出した前記情報サイトについて、各情報サイトのサイト構造を解析する手段と、
前記抽出した各情報サイトを巡回し、前記解析した構造に基づいて前記情報サイトに記述された情報であって、新規に記述されているもの、及び前回の巡回時の記録と比較して異なる内容のものを取得する手段と、
前記各情報サイトから取得した前記情報をデータベースに格納する手段と、
前記ユーザー端末からの指定に基づいて前記データベースに格納された情報を取得する手段と、
取得した前記情報を前記ユーザー端末に配信する手段と、
を備えることを特徴とする情報取得配信システム。
【発明の詳細な説明】
【技術分野】
【０００１】
本発明は、インターネット上のウェブサイトから高い精度で情報を取得する情報取得サーバー、情報取得方法、及び情報取得配信システムに関する。
【背景技術】
【０００２】
インターネット上に多数接続されたウェブサイトから必要とする情報を取得するには、インターネットにコンピューターを接続し、当該コンピューターにインストールしたインターネットブラウザーソフトを用いて「Ｇｏｏｇｌｅ（登録商標）」に代表される検索サイトに接続し、この検索サイトの検索欄にキーワードを入力して検索を行う。次いで、当該キーワードから抽出され、一覧表示された多数のウェブサイトから一つのウェブサイトを選択して当該ウェブサイトを閲覧して必要な情報を取得する。この操作を必要に応じて繰り返し、必要とする情報を取得する。
【０００３】
しかし、特定の情報、例えば特定の企業に関するトピック、ニュース等の情報を検索するとき、上述した検索サイトでのキーワード検索では、目的とする情報を取得することができない「検索漏れ」が生じたり、目的とする情報とは異なる情報である「ノイズ」を多く抽出してしまったりする。
【０００４】
これは、検索サイトの多くは、インターネット上のウェブサイトを自動的に巡回してデータを収集する、いわゆるロボット型サーチエンジンで収集した情報を対象とするためである。ロボット型サーチエンジンは、機械的に世界中のサイトの情報を取得しているため検索対象となる情報が極めて多く単なるキーワード検索では検索漏れ、あるいは不要な情報が抽出されることによる。また、ロボット型サーチエンジンでは、ウェブサイトの深い階層のページから情報を取得できていない可能性があり、この場合も検索漏れが発生する。
【０００５】
このため、情報検索に際しては、単なるキーワード検索ではなく、キーワードの組み合わせ等、複雑な設定をする必要がある。この結果、キーワードの設定のいかんによりその検索精度が大きく異なることとなる。また、サイトマップに沿って閲覧するか、情報の配置箇所を的確に掌握して閲覧しなければ、検索漏れを防止できない他、精度が低くなり、全てのウェブサイトについてこの操作を実際に実行することは難しい。
【０００６】
このような事情にかんがみ、インターネット上のウェブサイトにおけるニュース検索について従来さまざまな提案がなされている。
【０００７】
特許文献１には、指定されたホームページの複数階層にわたって文字データをダウンロードし、そのダウンロードした文字データファイルについて予め設定されたキーワードによる検索を行い、前記文字データファイルの日付が既登録データと照合して不一致の場合に、キーワード検索でヒットしたホームページ全体をダウンロードし、ダウンロードしたホームページの変更内容について、関係ユーザーにメールにて通知する。また、キーワードがヒットしたホームページについて、ヘッドラインを編集しニュースとして配信するウエブ情報収集装置が記載されている。
【０００８】
また、特許文献２には、情報提供サーバーのトピックス情報収集手段はニュースサイトからニュース記事を収集し、論評情報収集手段はブログ運営サーバーからブログコンテンツを収集し、トピックス情報探索手段は、収集したニュース記事の中から、ユーザーから取得した探索キーワードに適合するニュース記事を探索し、情報配信手段は、探索結果として、探索したニュース記事に関連するブログコンテンツを抽出し、抽出したブログコンテンツが、探索したニュース記事ごとに分類されて表示される探索結果情報を生成し、ユーザーＰＣに配信する情報配信方法が記載されている。
【特許文献１】特開２００５−３１８６７号公報
【特許文献２】特開２００６−３０９５１５号公報
【発明の開示】
【発明が解決しようとする課題】
【０００９】
今日、企業等の組織にとって、自己や自己の製品がニュースで取り上げられることに大きな意味がある。これは、自社や製品が好意的に取り上げられることで大きな広告価値が生じ、売り上げの向上が期待でき、自社や製品のイメージを向上させ、認知度や好感度を向上させるためである。
【００１０】
一方、自社や自社の製品が悪く取り上げられると、製品の売り上げの減少や、会社や製品のイメージの低下を招く。このような場合、的確な対応をとらなければ、企業等は、大きな、場合によっては致命的な損失を受けることがある。
【００１１】
このような企業や製品に関するニュースは、大手新聞社、地方新聞社、ニュース配信会社、テレビ会社の他、ニュース専門サイト、ニュースまとめサイト、その他のサイトに掲載される。このようなさまざまなサイトから網羅的に、自社ないしは自社製品に関するニュースを正確且つ迅速に取得することは、従来の検索サイトを使用したキーワード検索では困難である。
【００１２】
なお、特許文献１に記載のものは、指定されたホームページについての詳細な検索を行うことができるものの、ウエブ上に配信された多量のニュース情報から所望の情報を高い精度で得ることはできない。
【００１３】
また、特許文献２に記載のものは、探索したトピックス情報と、このトピックス情報に関連する論評情報を一括してユーザーに配信するものであり、ウエブ上に配信された多量のニュース情報から所望の情報を高い精度で得ることはできない。
【００１４】
このように、従来、ユーザーである企業等が所望する情報を的確に取得して配信する情報取得方法は提供されていない。そこで、本発明は、高い精度で所望の情報を取得することができる情報取得サーバー、情報取得方法、及び情報取得配信システムを提供することを目的とする。
【課題を解決するための手段】
【００１５】
前記課題を解決する請求項１に記載の発明は、複数のウェブサイトにインターネットを介して接続可能であり、前記ウェブサイトから所望の情報を取得する情報取得サーバーであって、
複数の前記ウェブサイトを網羅的に調査し、予め選定した分野に適合したウェブサイトを情報サイトとして抽出する手段と、抽出した前記情報サイトについて、各情報サイトのサイト構造を解析する手段と、前記抽出した各情報サイトを巡回し、前記解析した構造に基づいて前記情報サイトに記述された情報であって、新規に記述されているもの、及び前回の巡回時の記録と比較して異なる内容のものを取得する手段と、前記各情報サイトから取得した前記情報をデータベースに格納する手段と、指定に基づいて前記データベースに格納された情報を取得する手段と、を備えることを特徴とする情報取得サーバーである。ここで、ウェブサイトの構造の解析では、ウェブサイトに記載されたサイトの構造を明示したサイトマップに基づいて自動的に行うことが含まれる。また、サイトマップの記載がないサイトについては、そのウェブサイトの構造を自動的に解析したり、オペレーターが手動でその構造を解析したりすることが含まれる。
【００１６】
請求項１に記載の発明によれば、対象となる複数のウェブサイトを網羅的に調査し、予め選定した分野に適合したウェブサイトを情報サイトとして抽出しておき、この抽出した情報サイトについて、各情報サイトの構造解析を行い、抽出した各情報サイトを巡回し、解析した構造に基づいて表示された情報を取得してデータベースに格納しておき、指定に基づいてデータベースに格納された情報を取得する。このため、予め選定された情報サイトにおいて、各情報サイトの構造を踏まえて情報を抽出してデータベースを構築し、このデータベースから情報を指定に基づいて情報を抽出できる。よって、漏れがなく、高い精度で情報を効率良く取得することができる。
【００１７】
同じく請求項２に記載の発明は、請求項１に記載の情報取得サーバーにおいて、少なくとも一つのユーザー端末に接続されており、前記ユーザー端末からの要求に応えて前記データベースに格納された前記情報を前記ユーザー端末に配信する手段を備え、前記ユーザー端末から指定されたキーワードに基づいて前記データベースを検索して、取得した情報を前記ユーザー端末に配信することを特徴とする。
【００１８】
請求項２に記載の発明によれば、情報取得サーバーに接続されたユーザー端末からデータベースに格納された情報をキーワード検索できる、ユーザー端末から簡単に、漏れがなく、高い精度で情報を取得することができる。
【００１９】
同じく請求項３に記載の発明は、請求項１に記載の情報取得サーバーにおいて、少なくとも一つのユーザー端末に接続されており、前記ユーザー端末からの要求に応えて前記データベースに格納された前記情報を前記ユーザー端末に配信する手段を備え、前記ユーザー端末から予め設定した所定のキーワードを含む情報が前記データベースに格納されたとき、前記キーワードに関連する情報を取得したこと及び前記キーワードに関連する情報の少なくとも一つを前記ユーザー端末に配信することを特徴とする。
【００２０】
請求項３に記載の発明によれば、情報取得サーバーに接続されたユーザー端末に予め設定されたキーワードを含む情報を取得したこと、及びキーワードを含む情報を配信するので、ユーザー端末に、簡単に漏れがなく、高い精度で情報を配信することができる。
【００２１】
同じく請求項４に記載の発明は、請求項２又は請求項３の一項に記載のである情報取得サーバーにおいて、取得した前記情報の広告的価値を評価する手段を備え、配信する前記情報と共に前記広告的価値を前記ユーザー端末に配信することを特徴とする。
【００２２】
請求項４に記載の発明によれば、ユーザー端末には、取得された情報と共に情報の広告的価値が配信されるので、ユーザー端末側では情報の広告的価値を知ることができる。
【００２３】
同じく請求項５に記載の発明は、請求項４に記載の情報取得サーバーにおいて、前記広告的価値は、前記情報が表示される前記情報サイト上のページにおける広告料金に基づいて定めることを特徴とする。
【００２４】
請求項５に記載の発明によれば、広告的価値は情報サイト上における広告料金に基づいて定められるため、広告的価値を客観的な基準に基づいて判定することができる。
【００２５】
同じく請求項６に記載の発明は、請求項４に記載の情報取得サーバーにおいて、前記情報が表示される前記情報サイト上のページにおける広告料金が特定できない場合、前記広告的価値は前記広告料金に相当する金額を数学的な手法によって他の広告料金が設定されているサイトとの比較で推定した金額に基づいて定めることを特徴とする。
【００２６】
請求項６に記載の発明によれば、広告的価値は情報サイト上におけるデータを数学的手法によって解析して定められるため、広告的価値を常に同一基準に基づいて客観的に判定することができる。
【００２７】
同じく請求項７に記載の発明は、請求項２から請求項６のいずれか一項に記載の情報取得サーバーにおいて、前記取得した情報についての好感度についての評価を行う手段を備え、前記配信する情報と共に前記好感度を前記ユーザー端末に配信することを特徴とする。
【００２８】
請求項７に記載の発明によれば、ユーザー端末には、取得された情報と共に情報についての好感度が配信されるので、ユーザー端末側では情報の好感度を知ることができる。
【００２９】
同じく請求項８に記載の発明は、請求項７に記載の情報取得サーバーにおいて、前記好感度は、過去に蓄積されたビッグデータ及びナリッジマネジメントに基づいて評価することを特徴とする。
【００３０】
請求項８に記載の発明によれば、好感度は過去に蓄積されたビッグデータ及びナリッジマネジメントに基づいて評価されるので、評価を自動的に且つ客観的に行うことができる。
【００３１】
同じく請求項９に記載の発明は、請求項２から請求項７のいずれか一項に記載のである情報取得サーバーにおいて、取得した情報を引用している引用サイトについての情報及び前記引用サイトの数の少なくとも一方についての情報を取得する手段を備え、配信する情報と共に前記引用サイトについての情報及び前記引用サイトの数の少なくとも一方を配信することを特徴とする。
【００３２】
請求項９に記載の発明によれば、情報取得サーバーで引用サイトについての情報及び数の少なくとも一方が取得されるので、情報の評価を引用サイトについての情報及び数の少なくとも一方に基づいて行うことができる。
【００３３】
同じく請求項１０に記載の発明は、請求項１から請求項８のいずれか一項に記載の情報取得サーバーにおいて、前記ユーザー端末から期間を指定して情報を取得することを特徴とする。
【００３４】
請求項１０に記載の発明によれば、ユーザー端末から指定した特定の期間にわたる情報を取得することができる。
【００３５】
同じく請求項１１に記載の発明は、請求項１から請求項１０のいずれか一項に記載の情報取得サーバーにおいて、前記特定の分野がニュースであることを特徴とする。
【００３６】
請求項１１に記載の発明によれば、情報取得サーバーは、ニュースについての情報を簡単に漏れがなく、高い精度の情報を取得して、ユーザー端末に配信することができる。
【００３７】
請求項１２に記載の発明は、複数のウェブサイトにインターネットを介して接続可能であり、前記ウェブサイトから所望の情報を取得する情報取得方法であって、
複数の前記ウェブサイトを網羅的に調査し、予め選定した分野に適合したウェブサイトを情報サイトとして抽出する工程と、抽出した前記情報サイトについて、各情報サイトのサイト構造を解析する工程と、前記抽出した各情報サイトを巡回し、前記解析した構造に基づいて前記情報サイトに記述された情報であって、新規に記述されているもの、及び前回の巡回時の記録と比較して異なる内容のものを取得する工程と、前記各情報サイトから取得した前記情報をデータベースに格納する工程と、指定に基づいて前記データベースに格納された情報を取得する工程と、を備えることを特徴とする情報取得方法である。
【００３８】
請求項１２に記載の発明によれば、複数のウェブサイトを網羅的に調査し、予め選定した分野に適合したウェブサイトを情報サイトとして抽出しておき、この情報サイトについて、各情報サイトの構造解析を行い、抽出した各情報サイトを巡回し、解析した構造に基づいて表示された情報を取得してデータベースに格納しておき、指定に基づいてデータベースに格納された情報を取得する。このため、予め選定された情報サイトにおいて、各情報サイトの構造を踏まえて情報を抽出してデータベースを構築し、このデータベースから情報を指定に基づいて情報を抽出できる。よって、漏れがなく、高い精度で情報を効率良く取得することができる。
【００３９】
請求項１３に記載の発明は、複数のウェブサイト及び少なくとも一つのユーザー端末にインターネットを介して接続された情報取得サーバーを備え、前記情報取得サーバーから取得した情報のうち前記ユーザー端末が要求する情報を配信する情報取得配信システムにおいて、複数の前記ウェブサイトを網羅的に調査し、予め選定した分野に適合したウェブサイトを情報サイトとして抽出する手段と、抽出した前記情報サイトについて、各情報サイトのサイト構造を解析する手段と、前記抽出した各情報サイトを巡回し、前記抽出した各情報サイトを巡回し、前記解析した構造に基づいて前記情報サイトに記述された情報であって、新規に記述されているもの、及び前回の巡回時の記録と比較して異なる内容のものを取得する手段と、前記各情報サイトから取得した前記情報をデータベースに格納する手段と、前記ユーザー端末からの指定に基づいて前記データベースに格納された情報を取得する手段と、取得した前記情報を前記ユーザー端末に配信する手段と、を備えることを特徴とする情報取得配信システムである。
【００４０】
請求項１３に記載の発明によれば、複数のウェブサイトを網羅的に調査し、予め選定した分野に適合したウェブサイトを情報サイトとして抽出しておき、この抽出した情報サイトについて、各情報サイトの構造解析を行い、抽出した各情報サイトを巡回し、解析した構造に基づいて表示された情報を取得してデータベースに格納しておき、指定に基づいてデータベースに格納された情報を取得し、ユーザー端末の要求に応えて情報を配信する。このため、予め選定された情報サイトにおいて、各情報サイトの構造を踏まえて情報を抽出してデータベースを構築でき、このデータベースから情報を指定に基づいて情報を抽出できる。よって、漏れがなく、高い精度で情報を効率良く取得してユーザー端末に配信することができる。
【発明の効果】
【００４１】
本発明に係る情報取得サーバー及び情報取得方法によれば、予め選定された情報サイトにおいて、各情報サイトの構造を踏まえて情報を抽出してデータベースを構築して、このデータベースから情報を指定に基づいて情報を抽出するので、漏れがなく、高い精度で効率良く情報を取得することができる。
【００４２】
また、本発明に係る情報取得配信システムによれば、予め選定された情報サイトにおいて、各情報サイトの構造を踏まえて情報を抽出してデータベースを構築して、このデータベースから情報を指定に基づいて情報を抽出できるので、漏れがなく、高い精度で情報を効率良く取得してユーザー端末に配信することができる。
【図面の簡単な説明】
【００４３】
【図１】本発明の実施形態に係る同情報取得配信システム及び情報取得サーバーの構成を示すブロック図である。
【図２】同情報取得サーバーの動作を示す模式図である。
【図３】同情報取得サーバーのハードウエア構成を示すブロック図である。
【図４】同情報取得サーバーにおける処理の流れを示すフローチャートである。
【図５】同情報取得サーバーにおける広告価値評価処理を示すフローチャートである。
【図６】同情報取得サーバーにおけるニュアンス評価処理を示すフローチャートである。
【図７】同情報取得サーバーにおける引用評価処理を示すフローチャートである。
【図８】同情報処理サーバーを使用した検索結果と、従来の検索サイトにおける検索結果との比較結果を示す表である。
【発明を実施するための形態】
【００４４】
本発明を実施するための形態に係る情報取得サーバー、情報取得方法、及び情報取得配信システムについて説明する。
【００４５】
まず、本発明の実施形態に係る情報取得サーバー及び情報取得配信システムの概略構成について説明する。図１は本発明の実施形態に係る同情報取得サーバー及び情報取得配信システムの構成を示すブロック図である。本発明の実施形態に係る情報取得配信システム１００は、情報取得サーバー２００を備える。
【００４６】
情報取得サーバー２００、特定分野、本実施形態では、インターネット１４０に接続された多数のウェブサイト１３０（１１１〜１１ｎ、１２１〜１２ｍ）に接続可能である。
そして、これらのから複数、この例ではｎ台のウェブサイトを、ニュースを配信する情報サイト１１１、１１２、１１３、…、１１ｎとして予め選択する。また、情報取得サーバー２００は、少なくとも一つ、本実施形態では、Ｎ台のユーザー端末１５１、１５２、１５３、…、１５Ｎにインターネット１４０を介して接続可能である。なお、以下個別に特定をする必要がない場合、ウェブサイトの符号を１３０、情報サイトの符号を１１０、ユーザー端末の符号を１５０として説明する。
【００４７】
情報取得サーバー２００は、データベース２３０を備え、情報サイト１１１、１１２、１１３、…、１１ｎを巡回して、新規に記述された情報を取得してデータベース２３０に蓄積する。そして、配信を希望する特定のユーザー端末１５０に取得した情報を配信する。なお、図１では、作図の都合により情報取得サーバー２００及びウェブサイト１１１〜１１ｎ、１２１〜１３ｍを接続するインターネット１４０と、情報取得サーバー２００及びユーザー端末１５１〜、１５Ｎを接続するインターネット１４０とを個別のものとして描いているが、両者は同一のものである。
【００４８】
情報取得サーバー２００は、ウェブサイト１３０（１１１〜１１ｎ、１２１〜１３ｍ）を網羅的に調査し、予め選定した分野に適合した情報サイト１１１〜１１ｎを抽出する。そして、抽出した情報サイト１１１〜１１ｎについて、各情報サイト１１１〜１１ｎのサイト構造を解析し、抽出した各情報サイト１１１〜１１ｎを巡回して、解析した構造に基づいて新たに記述された情報を取得する。更に、取得した各情報サイト１１１〜１１ｎからの情報をデータベース２３０に格納する。
【００４９】
また、情報取得サーバー２００は、ユーザー端末１５０からの要求に応えて前記データベース２３０に格納された情報をユーザー端末１５０に配信する。配信方法としては、ユーザー端末１５０から指定されたキーワードに基づいてデータベース２３０を検索して、取得した情報をユーザー端末１５０に配信することができる。
【００５０】
また配信方法としては、ユーザー端末１５０から予め設定した所定のキーワードを含む情報がデータベース２３０に格納されたとき、キーワードに関連する情報を取得したこと及びキーワードに関連する情報の少なくとも一つをユーザー端末１５０に配信することができる。
【００５１】
更に、情報取得サーバー２００は、ユーザー端末１５０に配信する情報と共に、付加情報として広告的価値や、記事についての好感度をユーザー端末１５０に配信することができる。このとき、広告的価値は、前記情報が表示される情報サイト上のページにおける広告料金に基づいて定めることや、記事の好感度を、過去に蓄積されたビッグデータ及びナリッジマネジメントに基づいて評価することができる。
【００５２】
そして、情報取得サーバー２００は、配信する情報と共に、付加情報として、情報を引用しているウェブサイトである引用サイトについての情報及び前記引用サイトの数を配信することができる。
【００５３】
このようにユーザー端末１５０に配信する情報は、ユーザー端末１５０からの指定により、期間を指定しておくことができる。例えば、現在から過去又は将来の一定期間、過去又は将来の指定期間について設定できる。
【００５４】
以上のような機能を実現するため、情報取得サーバー２００は、以下の構成を備える。即ち図１に示すように、情報取得サーバー２００は、情報サイト１１０を巡回して情報を取得する情報取得部２１０、取得した情報についての広告的価値、好感度等の付加情報を生成する付加情報部２２０、取得した情報及び付加情報を格納するデータベース２３０、データベース２３０から所定の情報をユーザー端末１５０に配信する情報配信手段２４０を備える。また、情報取得サーバー２００は、ウェブサイト１３０をインターネット１４０経由で接続するウェブサイト接続手段２０１、ユーザー端末１５０をインターネット１４０経由で接続するユーザー端末接続手段２０２を備える。
【００５５】
まず情報取得部２１０について説明する。情報取得部２１０には、サイト抽出手段２１１、サイト構造解析手段２１２、サイト巡回手段２１３、及び新規情報取得手段２１４を備える。また付加情報部２２０には、広告価値評価手段２２１、好感度評価手段２２２、引用サイト情報取得手段２２３を備える。
【００５６】
サイト抽出手段２１１は、インターネット１４０に接続された多数のウェブサイト１３０を網羅的に調査して予め選定した分野に適合する、この例ではニュースに関するウェブサイトを抽出する。これにより、全てのウェブサイト１１１〜１１ｎ、１２１〜１３ｍから巡回の対象とする情報サイト１１１〜１１ｎを抽出してデータベース２３０に記録する。
【００５７】
このサイトの抽出処理は、予めニュースサイトと判断されるサイトを選定しておいたリストによる他、自動的にウェブサイトを巡回して新たな情報サイトを検出することにより行うことができる。また、オペレーターによる判断によって行うことができる。
【００５８】
ここで抽出される情報サイトとしては、大手新聞社、地方新聞社、ニュース配信会社、テレビ局、ラジオ局、ポータルサイト、ニュースまとめサイト等が挙げられる。これらのサイトは定期的に選定を見直すことが望ましい。
【００５９】
サイト構造解析手段２１２は、サイト抽出手段２１１で抽出した情報サイト１１１〜１１ｎの構造を解析する。解析は対象とする情報サイトのサイトマップに基づいて行うことの他、対象とする情報サイトを自動的又はオペレーターによる判断により行う。このサイトの構造解析は、定期的又は随時行い、情報サイトの最新の構造を取得しておく。各情報サイトの構造は、データベース２３０に格納される。なお、構造の解析は、構造が定型であれば、ソフトウエアにより自動的に行う。また、定型でないものについては個別に解析を行う。
【００６０】
サイト巡回手段２１３は、サイト抽出手段２１１で抽出した情報サイト１１１〜１１ｎの全てを定期的、例えば一時間に１回、又は必要に応じて随時巡回する。各情報巡回に際して、各情報サイト１１１〜１１ｎに新たな情報が記述されているかを、解析した構造に沿って取得していく。この頻度は情報サイトにおける更新の頻度に応じて変更することができる。そして、新規情報取得手段２１４は、巡回した情報サイトに記述された新規情報を収集する。
【００６１】
この巡回は自動的に行われ、新規情報の収集は、新規であるとして記述されているものを取得する他、前回の巡回時の記録と比較して異なる内容のものを取得することができる。このとき、情報の収集に際しては、各情報サイトの構造に基づいて、漏れがないように全てのページを巡回する。
【００６２】
新規情報取得手段２１４で収集された情報は、情報サイト、取得した時刻に基づいて整理されてデータベース２３０に格納される。取得した情報は、所定の形式でデータベースに格納される。
【００６３】
次に付加情報部２２０について説明する。おいて、広告価値評価手段２２１は、情報、例えば商品についてのニュースの広告的価値を評価する。評価は、ニュースの掲載サイトの広告換算値に基づいて行われる。広告換算値は、例えば当該ニュースが表示されているページにおける広告掲載料金を参考にして決定することができる。広告掲載料金が高い大手新聞サイトの第１面に情報が記述されている場合には、広告換算値が大きく、広告的価値が高くなる。
【００６４】
ここで、広告掲載がなく広告掲載料を設定していないウェブサイトについては、前記広告的価値は、前記情報が表示される前記情報サイト上のページにおける広告料金が特定できない。このため、広告的価値は前記広告料金に相当する金額を数学的な手法によって他の広告料金が設定されているサイトとの比較で推定した金額に基づいて定める。即ち
同一のページビューや、引用件数を持つサイトの広告料金に基づいて広告的価値を数学的に推定して定めるのである。
【００６５】
この推定は例えば以下の手法で行うことができる。まず、広告料金が設定されている多数のサイトについての読者数や、ページビュー等の値と、広告料金との関係を最小二乗法等の数学的な推定手法に基づいて定式化する。次に、広告料金が設定されていないサイトの読者数、ページビュー等をこの式に当てはめる。そして、これらの結果や、その他の評価を複合的に判断して、広告料金に相当する金額を推定する。これにより、この金額に基づいて広告的が設定されていないサイトの広告換算値を決定する。なお、この推定は上記手法に限ることなく他の公知の手法に基づいて行うことができる。
【００６６】
好感度評価手段２２２は、情報の好感度（ニュアンス）を評価する。この評価は、情報、例えば商品や会社についての記述が（ｇｏｏｄ）であれば高く（プラス評価）、非好意的（ｂａｄ）であれば低く（マイナス評価）とするものとする。
【００６７】
好感度評価は、過去に蓄積されたビッグデータ及びナリッジマネジメントに基づいて自動的に行うことができる。この場合には、過去に蓄積した膨大な記事についてのデータに基づいてその傾向を計算する。また、オペレーターの判断により評価を行うことができる。
【００６８】
引用サイト情報取得手段２２３は、一つのサイトに記述された情報が他の情報サイト（引用サイト）に引用あるいは転用されていることを検出し、引用サイトについての情報、及び引用数を検出する。例えば、ニュース配信会社から配信されたニュースが新聞サイトに記述された場合、新聞サイトの記事がニュースまとめサイトにリンクされている場合、引用サイトの数、引用サイトの地域分布等を取得し、その情報と共にデータベース２３０に格納する。
【００６９】
データベース２３０は、上述した各種データを、情報サイトへの記述時刻、収集時刻、キーワード等に基づいて検索可能に整理した状態で格納する。情報のデータベースへの格納形式は、必要に応じて適宜選択することができる。データ量がなるべく少なく効率的に格納でき、迅速に検索できる形式が望ましい。
【００７０】
情報配信手段２４０は、ユーザー端末１５０にデータベース２３０に格納された情報を配信する。情報配信手段２４０は、各ユーザー端末１５０から転送されたキーワードに基づいてデータベース２３０を検索する。このとき、情報サイトに記述された時期、情報が取得された時期を選択することができる。選択できる時期は任意であり、一定期間前から現在まで、過去における一定期間等が指定できる。
【００７１】
また、情報配信手段２４０は、ユーザー端末１５０から指定されたキーワードに関する情報を取得した場合、その旨、及びその情報をユーザー端末１５０に配信するものとできる。この場合も情報取得を行う任意の期間、即ち現在から特定日時まで、未来の一定期間等の指定ができる。
【００７２】
両方式の情報の配信に際しては、付加情報として、情報の広告的価値、好感度、引用サイトの数及び引用サイトに関する情報を配信することができる。このような付加情報の配信は任意であり、ユーザー端末からの要求によって行う。
【００７３】
この情報取得サーバー２００は、コンピューターとして構成されている。図３は同情報取得サーバーのハードウエア構成を示すブロック図である。情報取得サーバー２００は、ＣＰＵ（Ｃｅｎｔｒａｌ  Ｐｒｏｃｅｓｓｉｎｇ  Ｕｎｉｔ）３１０、ＲＡＭ（Ｒａｎｄｏｍ  Ａｃｃｅｓｓ  Ｍｅｍｏｒｙ）３２０、ＲＯＭ（Ｒｅａｄ  Ｏｎｌｙ  Ｍｅｍｏｒｙ）３３０、ハードディスクドライブ（ｈａｒｄ  Ｄｉｓｃ  Ｄｒｉｖｅ）３４０、インターネットに接続するための通信制御手段３５０、キーボード、マウス等の入力手段３６０、プリンタ、モニター等の出力手段３７０をバス３８０で接続して構成される。なお、入力手段３６０、出力手段３７０は、インターフェース３６１、３７１を介してバス３８０に接続されている。また、データベース２３０は、ハードディスクドライブ３４０とは異なるものとして設置する。なお、データベース２３０は、ハードディスクドライブ３４０内に構築することができる。
【００７４】
情報取得サーバー２００は、本発明の実施形態に係る情報取得方法を実現するプログラムを、ＲＡＭ３２０をワークエリアとしてＣＰＵ３１０で実行することにより上記の各機能を実現する。
【００７５】
次に情報取得配信システム１００及び情報取得サーバー２００における処理の流れについて説明する。図４は同情報取得サーバーにおける処理の流れを示すフローチャートである。情報取得サーバー２００は以下の工程に従って処理を行う。まず、情報取得サーバー２００によってインターネット１４０に接続されたウェブサイト１３０を網羅的に調査する（Ｓ１）。次いで、サイト抽出手段２１１で、特定分野、例えばニュースに関するウェブサイトとして情報サイト１１１〜１１ｎを抽出する（Ｓ２）。これにより、巡回対象となる情報サイトが選択され、不必要な情報収集のために使用される無駄な時間や、ノイズ情報の収集がなくなり、高精度となる。
【００７６】
この状態で、抽出した情報サイトの構造をサイト構造解析手段２１２で解析し（Ｓ３）、データベース２３０に格納する（Ｓ４）。次いで、サイト巡回手段２１３によって各情報サイトを定期的、あるいは順次巡回し、新規情報取得手段２１４で新規情報を取得する。取得された情報は、データベース２３０に検索可能に格納する（Ｓ６）。
【００７７】
そして、ユーザー端末１５０からキーワードに基づく情報配信の要求があったとき、ユーザー端末接続手段２０２はデータベース２３０を検索して抽出した情報をユーザー端末１５０に配信する。このとき、ユーザー端末１５０は、情報掲載の時期や、取得の時期を選択することができる（Ｓ７）。このとき、キーワードでデータベース２３０の全てのデータを検索することができる。また、必要に応じて、限定された範囲のデータだけを検索することができる。
【００７８】
次に付加情報として広告的価値を情報と共に配信する処理について説明する。図５は同情報取得サーバーにおける広告価値配信処理を示すフローチャートである。この処理は、ユーザー端末１５０側からの要望により行うものである。広告価値評価手段２２１は、取得した情報の広告的価値を評価し（ＳＡ１、ＳＡ２）、データベース２３０に当該情報と関連付けて格納する（ＳＡ３）、そして、ユーザー端末１５０から要求があったとき、ユーザー端末接続手段２０２は、ユーザー端末１５０からのキーワード等でデータベース２３０を検索して、該当情報と広告的価値をユーザー端末１５０に配信する（ＳＡ４）。
【００７９】
この処理で配信される情報は、例えば、キーワード、ヒット件数、ヒットした記事の内容（例えば掲載サイト名、ＵＲＬ、掲載日時、掲載ページ、記事の内容（テキスト、写真、図））、広告換算値、ニュアンス、引用サイト数、引用サイトの分布等である。この内容は必要に応じて適宜変更できる
【００８０】
次に付加情報として好感度を情報と共に配信する処理について説明する。図６は同情報取得サーバーにおける好感度配信処理を示すフローチャートである。この処理は、ユーザー端末１５０側からの要望により行うものである。好感度評価手段２２２は、取得した情報の好感度を評価し（ＳＢ１、ＳＢ２）、データベース２３０に当該情報と関連付けて格納する（ＳＢ３）、そして、ユーザー端末１５０から要求があったとき、ユーザー端末接続手段２０２は、ユーザー端末１５０からの所望のキーワード等でデータベース２３０を検索して、該当する情報と好感度とをユーザー端末１５０に配信する（ＳＢ４）。この処理で配信される情報では、特に悪い評価について重視することができる。
【００８１】
次に付加情報として引用サイトに関する情報を情報と共に配信する処理について説明する。図７は同情報取得サーバーにおける引用評価処理を示すフローチャートである。この処理は、ユーザー端末１５０側からの要望により行うものである。引用サイト情報取得手段２２３は、取得した情報について引用サイトの数及び引用サイトの情報を取得し（ＳＣ１、ＳＣ２）、データベース２３０に当該情報と関連付けて格納する（ＳＣ３）、そして、ユーザー端末１５０から要求があったとき、ユーザー端末接続手段２０２は、ユーザー端末１５０からのキーワード等でデータベース２３０を検索して、該当情報と引用サイトの数及び引用サイトの情報の少なくとも一方をユーザー端末１５０に配信する（ＳＣ４）。
【００８２】
この処理で配信される情報は、上述したように、キーワード、ヒット件数、ヒットした記事の内容（例えば掲載サイト名、ＵＲＬ、掲載日時、掲載ページ、記事の内容（テキスト、写真、図））、広告換算値、ニュアンス、引用サイト数、引用サイトの分布等とすることができる。この内容は、ユーザーとの契約等により適宜変更できる。
【００８３】
次に、実施形態に係る情報取得サーバー２００を使用して行った実験について説明する。図８は同情報処理サーバーを使用した検索と、従来の検索サイトでの検索の結果の一例を示す表である。
【００８４】
この実験は、特定の会社名として「Ａ社」、「Ｂ社」、「Ｃ社」、「Ｄ社」、「Ｅ社」をキーワードとして、実施形態に係る情報取得サーバー２００を使用して検索したものである。なお、検索の期間は一週間とした。結果を図７の表に示す。ここで実施形態ヒット率は、「実施形態抽出件数／（実施形態抽出件数＋ニュース検索サイトでの抽出数）」で計算した。
【００８５】
「Ａ社」をキーワードとした結果、本情報取得サーバー２００で抽出した５６件のうち、従来のニュース検索では、５６件が検索できなかった。
「Ｂ社」をキーワードとした結果、本情報取得サーバー２００で抽出した１８件のうち、従来のニュース検索では、１４件が検索できなかった。
「Ｃ社」をキーワードとした結果、本情報取得サーバー２００で抽出した１０９件のうち、従来のニュース検索では、９４件が検索できなかった。
「Ｄ社」をキーワードとした結果、本情報取得サーバー２００で抽出した１１８件のうち、従来のニュース検索では、１０８件が検索できなかった。
「Ｅ社」をキーワードとした結果、本情報取得サーバー２００で抽出した２４件のうち、従来のニュース検索では、２０件が検索できなかった。
これに対して、ニュース検索サイトでしかできなかった情報は、それぞれ１件、１件、８件、２件、１件であった。
【００８６】
このように、従来のニュース検索サイトでは、単純なキーワード検索では、抽出漏れが多いのに対して、本実施形態に係る情報取得サーバー２００では確実に情報を抽出できることがわかる。
【００８７】
なお、上記例では、選択する情報サイトとして一般的なニュースを配信するウェブサイトである場合について説明したが、情報サイトをより細分して選定することができる。例えば、産業、芸能、スポーツに関するものとすることや、まとめサイトや、投稿サイト、掲示板サイトにすることができる。これにより専門化した要望に沿って対応できる。
【産業上の利用可能性】
【００８８】
本発明に係る情報取得サーバー、情報取得方法、及び情報取得配信システムは、企業、各種団体、個人等の要望に応えてインターネット上のウェブサイトに記述される情報を漏れなく、効率良く収集できるものであり、産業上の利用可能性を有する。
【符号の説明】
【００８９】
１００：情報取得配信システム
１１０（１１１〜１１ｎ）：情報サイト
１３０（１１１〜１１ｎ、１２１〜１２ｍ）：ウェブサイト
１４０：インターネット
１５０（１５１〜１５Ｎ）：ユーザー端末
２００：情報取得サーバー
２０１：ウェブサイト接続手段
２０２：ユーザー端末接続手段
２１０：情報取得部
２１１：サイト抽出手段
２１２：サイト構造解析手段
２１３：サイト巡回手段
２１４：新規情報取得手段
２２０：付加情報部
２２１：広告価値評価手段
２２２：好感度評価手段
２２３：引用サイト情報取得手段
２３０：データベース
２４０：情報配信手段
【図１】
0006592237.tif 000002
【図２】
0006592237.tif 000003
【図３】
0006592237.tif 000004
【図４】
0006592237.tif 000005
【図５】
0006592237.tif 000006
【図６】
0006592237.tif 000007
【図７】
0006592237.tif 000008
【図８】
0006592237.tif 000009